(57)【要約】【課題】雑音成分を含む入力光から、雑音の除去を図ることができる光受信装置及び雑音光除去方法を提供すること【解決手段】本発明にかかる光受信装置１０は、入力光の偏波面を予め定められた第１の偏波面（垂直偏波面）に揃えるように制御する偏波制御手段１１と、偏波制御手段１１を用いて制御された入力光と、ローカル光を合波した合波光を生成する合波手段１２と、前記合波光を、垂直偏波面を有する第１の光信号と垂直偏波面とは異なる第２の偏波面（水平偏波面）を有する第２の光信号に分離する偏波分離手段１３と、第２の光信号を用いて第１の光信号に含まれる雑音光を除去する雑音除去手段１４とを備えるものである。【選択図】図１
2010219885.tif 000002
【特許請求の範囲】
【請求項１】
入力光の偏波面を予め定められた第１の偏波面に揃えるように制御する偏波制御手段と、
前記偏波制御手段を用いて制御された入力光と、ローカル光を合波した合波光を生成する合波手段と、
前記合波光を、前記第１の偏波面を有する第１の光信号と前記第１の偏波面とは異なる第２の偏波面を有する第２の光信号に分離する偏波分離手段と、
前記第２の光信号を用いて前記第１の光信号に含まれる雑音光を除去する雑音除去手段とを備える光受信装置。
【請求項２】
前記偏波制御手段は、前記入力光に含まれる信号光を前記第１の偏波面に合わせるように制御し、
前記偏波分離手段は、前記第１の偏波面を有する前記信号光と前記ローカル光と前記雑音光と、前記第２の偏波面を有する前記ローカル光と前記雑音光に分離することを特徴とする請求項１記載の光受信装置。
【請求項３】
前記偏波分離手段は、前記第１の偏波面と、前記第１の偏波面に直交する第２の偏波面に合波光を分離することを特徴とする請求項１又は２記載の光受信装置。
【請求項４】
前記合波手段は、第１の偏波面における信号光とローカル光が異なる周波数成分を有するように合波することを特徴とする請求項２又は３に記載の光受信装置。
【請求項５】
前記雑音除去手段は、前記第１の光信号から、前記第２の偏波面を有する前記ローカル光と前記雑音光の干渉成分を減算することにより、前記第１の光信号から雑音光を除去することを特徴とする請求項２乃至４のいずれか１項に記載の光受信装置。
【請求項６】
前記第１の偏波面を有する信号光を復調する復調部をさらに有し、前記復調部は、前記信号光を復調した結果に基づいて前記ローカル光の出力を調整するようフィードバック情報を出力することを特徴とする請求項２乃至５記載のいずれか１項に記載の光受信装置。
【請求項７】
前記偏波制御手段は、前記第１の偏波面に合わせるように制御した入力光を複数の光信号に分岐させ、
前記合波手段は前記それぞれの光信号とローカル光を合波し複数の合波光を生成することを特徴とする請求項１乃至６記載のいずれか１項に記載の光受信装置。
【請求項８】
前記偏波分離手段により分離された偏波成分をデジタル信号に変換する変換手段をさらに備える請求項１乃至７のいずれか１項に記載の光受信装置。
【請求項９】
前記変換機により変換された雑音光のデジタル信号を分散補償する分散補償手段をさらに備える請求項８記載の光受信装置。
【請求項１０】
入力光の偏波面を予め定められた第１の偏波面に揃えるように制御するステップと、
前記第１の偏波面に合わせるように制御された入力光と、ローカル光を合波した合波光を生成するステップと、
前記合波光を、前記第１の偏波面を有する第１の光信号と前記第１の偏波面とは異なる第２の偏波面を有する第２の光信号に分離するステップと、
前記第２の光信号を用いて前記第１の光信号に含まれる雑音光を除去するステップとを有する光受信方法。
【発明の詳細な説明】
【技術分野】
【０００１】
本発明は光受信装置及び光受信方法に関し、特に光受信装置における雑音の除去を行う光受信装置及び光受信方法に関する。
【背景技術】
【０００２】
経路の途中に光増幅器を用いて光信号を増幅させることにより実現している光伝送システムにおいて、光増幅時に雑音光が発生する。このような雑音光を含む光信号を光受信装置が受信した場合に、光信号を復調する精度の劣化が生じる。
【０００３】
特許文献１には、信号光と雑音光を含む入力光を光受信装置内で、信号光を含む偏波方向と信号光を含まない偏波方向に分離し、信号光を含まない偏波方向の雑音成分により、信号光を含む偏波方向の雑音成分を除去する技術が開示されている。
【０００４】
また、特許文献２には、信号光とローカル光を合波した合波光を分離し、一方の信号の位相を調整し、もう一方の信号から雑音光を除去する技術が開示されている。
【先行技術文献】
【特許文献】
【０００５】
【特許文献１】特開２００４−３５００８１号公報
【特許文献２】特開昭６２−２００８３１号公報
【発明の概要】
【発明が解決しようとする課題】
【０００６】
特許文献１の雑音光除去手法は、いわゆる直接検波方式を用いているため、信号強度を利用して雑音光を除去するしかなく、信号強度が小さい場合等に効率的に雑音光を除去することができない。さらに、特許文献２の雑音光除去手法は、多様な偏波面を有する信号光から容易に雑音光を除去することができないという問題がある
【０００７】
本発明は、このような問題点を解決するためになされたものであり、雑音成分を含む入力光から、雑音の除去を図ることができる光受信装置及び雑音光除去方法を提供することを目的とする。
【課題を解決するための手段】
【０００８】
本発明の第１の態様にかかる光受信装置は、入力光の偏波面を予め定められた第１の偏波面に揃えるように制御する偏波制御手段と、前記偏波制御手段を用いて制御された入力光と、ローカル光を合波した合波光を生成する合波手段と、前記合波光を、前記第１の偏波面を有する第１の光信号と前記第１の偏波面とは異なる第２の偏波面を有する第２の光信号に分離する偏波分離手段と、前記第２の光信号を用いて前記第１の光信号に含まれる雑音光を除去する雑音除去手段とを備えるものである。
【０００９】
また、本発明の第２の態様にかかる雑音光除去方法は、入力光の偏波面を予め定められた第１の偏波面に揃えるように制御するステップと、前記第１の偏波面に合わせるように制御された入力光と、ローカル光を合波した合波光を生成するステップと、前記合波光を、前記第１の偏波面を有する第１の光信号と前記第１の偏波面とは異なる第２の偏波面を有する第２の光信号に分離するステップと、前記第２の光信号を用いて前記第１の光信号に含まれる雑音光を除去するステップとを有することである。
【発明の効果】
【００１０】
本発明により、雑音成分を含む入力光から、雑音の除去を図ることができる光受信装置及び光受信方法を提供することができる。
【図面の簡単な説明】
【００１１】
【図１】実施の形態１にかかる光受信装置の構成図である。
【図２】実施の形態１にかかる光受信装置の構成図である。
【図３】実施の形態１にかかる入力光の信号スペクトルを示す図である。
【図４】実施の形態１にかかる合波光の信号スペクトルを示す図である。
【図５】実施の形態１にかかる合波光の信号スペクトルを示す図である。
【図６】実施の形態１にかかる合波光の信号スペクトルを示す図である。
【図７】実施の形態１にかかる光受信装置のフローチャートである。
【図８】実施の形態２にかかる光受信装置の構成図である。
【図９】実施の形態２にかかるデジタル信号処理部の内部構成図である。
【発明を実施するための形態】
【００１２】
（実施の形態１）
以下、図面を参照して本発明の実施の形態について説明する。図１を用いて本発明の実施の形態１にかかる光受信装置の構成について説明する。光受信装置１０は、偏波制御部１１と、合波部１２と、偏波分離部１３と、雑音除去部１４を備えている。
【００１３】
偏波制御部１１は、入力光の偏波面を予め定められた第１の偏波面に揃えるように制御を行う。具体的には、入力光を偏波制御部１１にて定める特定の偏波方向に調整して入力光を取得する。
【００１４】
合波部１２は、偏波制御手段を用いて制御された入力光と、ローカル光を合波し、合波光を生成する。具体的には、特定の偏波面を有する入力光と異なる偏波面を有するローカル光を合波し、ひとつの出力信号を生成する。
【００１５】
偏波分離部１３は、合波部１２によって生成された合波光を、予め定められた第１の偏波面を有する第１の光信号と、第１の偏波面とは異なる第２の偏波面を有する第２の光信号に分離する。具体的には、合波光のうち、異なる偏波軸を有する偏波面にて定められる成分を抽出するものである。
【００１６】
雑音除去部１４は、第２の光信号を用いて第１の光信号に含まれる雑音光を除去する。具体的には、第１の偏波面を有する第１の信号にあらわれる雑音光を、第２の偏波面を有する第２の信号にあらわれる雑音光を用いて除去するものである。
【００１７】
次に、図２を用いて本発明の実施の形態１にかかる光受信装置の詳細な構成について説明する。本発明の実施の形態１にかかる光受信装置１０は、主に光ヘテロダイン検波方式を用いたコヒーレント光受信装置である。光受信装置１０は、偏波制御部１１と、合波部１２と、偏波分離部１３と、雑音除去部１４と、ローカル光源１５と、信号受信部１６ａ及び１６ｂと、雑音制御部１７と、復調部１８を備えるものである。
【００１８】
偏波制御部１１は、データ情報を有する信号光と、信号光を増幅するために光ファイバ伝送路中に挿入された光増幅器で発生した自然放出光である雑音光を含む入力光を取得する。偏波制御部１１は、偏波分離部１３の一方のポート（以下、ポートＡとする）からのみ信号光が出力されるように、入力光の偏波面を制御する。入力光の偏波面の制御について、具体的に図３を用いて説明を行う。
【００１９】
図３は、信号光の信号スペクトル１０００と雑音光の信号スペクトル１００１を示している。信号光のスペクトル１０００と雑音光のスペクトル１００１は、垂直偏波軸、水平偏波軸及び周波数軸の各成分により示される。偏波分離部１３のポートＡからは垂直偏波軸と周波数軸の成分により定まる偏波面（以下、垂直偏波面）に示される信号が出力される。偏波分離部１３のもう一方のポート（以下、ポートＢとする）からは、水平偏波軸と周波数軸の成分により定まる偏波面（水平偏波面）に示される信号が出力される。なお、垂直偏波面と水平偏波面は直交しているものとする。
【００２０】
偏波制御部１１は、信号光を垂直偏波面の各成分に基づいてあらわすことができるよう、制御を行う。これにより、信号光は水平偏波軸及び周波数軸の各成分により示される値は存在しなくなり、偏波分離部１３のポートＡからのみ出力が可能となる。
【００２１】
雑音光１００１は、主に光増幅器で発生した自然放出光であり、偏波面の依存性がない。つまり、垂直偏波面及び水平偏波面に一様に分布されているものである。そのため、垂直偏波面と、水平偏波面に同様に分離することができる。
【００２２】
以上説明したように、偏波制御部１１は、信号光１０００を垂直偏波面からのみ出力されるよう制御を行う。また、偏波制御部１１は、偏波面の制御を行った信号光と、雑音光を合波部１２へ出力する。
【００２３】
ローカル光源１５は、ローカル光を発生させる。ローカル光は、例えば光ヘテロダイン検波、光ホモダイン検波等において信号光を高精度に検波するために用いられるものである。ローカル光源１５は、ローカル光を合波部１２へ出力する。
【００２４】
合波部１２は、偏波制御部１１から取得した信号光と雑音光と、ローカル光源１５から取得したローカル光を合波し、合波光を生成する。合波部１２は、信号光とローカル光がある一定の偏波面のずれが生じるように多重する。つまり、信号光とローカル光が異なる周波数成分を持つように多重する。合波部１２により多重された合波光の信号スペクトルを図４に示す。
【００２５】
図４は、合波光に含まれる信号光のスペクトル１０００と雑音光の信号スペクトル１００１とローカル光の信号スペクトル１００２を示している。図４は、信号スペクトルを示す図３に、ローカル光の信号スペクトル１００２を追加したものであり、その他は図３と同様である。ローカル光の信号スペクトル１００２は、垂直偏波軸、水平偏波軸、周波数軸のそれぞれの成分を有するものである。また、信号光の信号スペクトル１０００とローカル光の信号スペクトル１００２は異なる周波数軸成分を有することを示している。合波部１２は、生成した合波光を偏波分離部１３へ出力する。
【００２６】
偏波分離部１３は、合波部１２から取得した合波光を分離し、信号受信部１６ａ及び１６ｂに出力する。信号受信部１６ａへの出力をポートＡからの出力とし、信号受信部１６ｂへの出力をポートＢからの出力とする。偏波分離部１３は、合波光を垂直偏波面及び水平偏波面に分離する。ここで、合波光に含まれる信号光は、偏波制御部１１により垂直偏波面の成分のみを有するよう制御されているため、信号光の成分は、垂直偏波面の成分のみを用いてあらわされる。
【００２７】
雑音光は、偏波面の依存性がない光増幅器で発生した自然放出光であるため、各偏波面に一様に分布する。これより、垂直偏波面と水平偏波面に雑音光の成分が分離される。
【００２８】
ローカル光は、垂直偏波軸と水平偏波軸と周波数軸の各成分を有するため、垂直偏波面と水平偏波面に雑音光の成分が分離される。
【００２９】
偏波分離部１３により分離された合波光の様子を図５、図６に示す。図５は垂直偏波面に分離された合波光を示すものであり、信号光の信号スペクトル１０００と雑音光の信号スペクトル１００１ａとローカル光の信号スペクトル１００２ａが示されている。
【００３０】
図６は、水平偏波面に分離された合波光を表すものであり、雑音光の信号スペクトル１００１ｂとローカル光の信号スペクトル１００２ｂが示されている。偏波分離部１３は、垂直偏波面に分離された信号をポートＡから信号受信部１６ａに出力する。水平偏波面に分離された信号をポートＢから信号受信部１６ｂに出力する。
【００３１】
信号受信部１６ａ、１６ｂは、偏波分離部１３により分離された各信号を取得する。信号受信部１６ａは、信号光と雑音光とローカル光を取得し、信号受信部１６ｂは雑音光とローカル光を取得する。信号受信部１６ａは、信号光とローカル光のビート及び雑音光とローカル光のビートを検出する。ビートとはうなりとも呼ばれ、異なる２つの波、つまり、異なる２つの周波数を有する信号を重ね合わせ、その周波数の差により生じる干渉波を示すものである。ここでは、信号光とローカル光、雑音光とローカル光という異なる周波数を有する信号を重ね合わせることでビートを検出する。ローカル光と信号光又はローカル光と雑音光の周波数の差により生じるビートを検出することにより、このビートから情報を取得することができる。
【００３２】
信号受信部１６ａを用いて検出したビートから取得した情報は、電気信号に変換され、雑音除去部１４に出力される。信号受信部１６ａからは、信号光を示す電気信号である信号成分と、雑音光を示す電気信号である雑音成分が雑音除去部１４に出力される。信号受信部１６ｂからは、雑音光を示す電気信号である雑音成分が雑音制御部１７に出力される。
【００３３】
雑音制御部１７は、信号受信部１６ｂから雑音成分を取得し、雑音除去部１４に対して雑音成分を出力するために、位相や信号強度を最適になるように調整する。以下に具体的に説明する。合波部１２を用いてローカル光を合波する際に、垂直偏波面に近い角度のローカル光を用いる。このようにすることにより、垂直偏波面において、より強度の強いローカル光成分と信号光を重ね合わせたビートを検出することができるからである。このため、垂直偏波面と水平偏波面のローカル光成分の強度は異なることになる。この強度の差異により生じる信号受信部１６ａから出力される雑音成分と、信号受信部１６ｂから出力される雑音成分の差異を、雑音制御部１７において調整することにより、信号受信部１６ａから出力される雑音成分の強度に合わせることができる。
【００３４】
また、信号受信部１６ａから出力される雑音成分と、信号受信部１６ｂから出力される雑音成分は、雑音除去部１４まで到達する際に、通る経路の違いにより若干の遅延を生じることになる。この遅延により生じる位相の差異を雑音制御部１７により調整する。雑音制御部１７により位相や信号強度を最適化された雑音成分は、雑音除去部１４に出力される。
【００３５】
雑音除去部１４は、信号受信部１６ａから信号成分と、雑音成分を取得し、信号受信部１６ｂから雑音成分を取得する。ここで、信号受信部１６ｂから取得した雑音成分は、雑音制御部１７により信号受信部１６ａから取得した雑音成分との差異を調整されている。このため、雑音除去部１４において、信号受信部１６ａから取得した雑音成分から、信号受信部１６ｂから取得した雑音成分を減算することにより、雑音成分を除去することができ、信号成分のみを出力することができる。雑音除去部１４は、信号成分を復調部１８に出力する。
【００３６】
復調部１８は、取得した信号成分を復調し、データを取得する。ここで、復調部１８は取得した信号成分から、ローカル光源１５に対して、雑音成分を除去するために最適な位相情報や光強度情報等をフィードバック情報として出力することもできる。これにより、ローカル光源１５は、最適なローカル光を生成し、雑音光の除去精度を向上させることができる。
【００３７】
次に、図７を用いて本発明の実施の形態１にかかる光受信装置の処理の流れにつき説明する。
【００３８】
光受信装置１０は、光受信装置１０に接続されている光ファイバ等から、信号光と雑音光を含む入力光を受信する（Ｓ１０）。
【００３９】
次に、偏波制御部１１は、光受信装置１０が受信した入力光を取得する。ここで、偏波制御部１１は、入力光に含まれる信号光の偏波面を垂直偏波面に合わせるよう、入力光の制御を行う（Ｓ１１）。制御された入力光は、合波部１２に出力される。
【００４０】
次に、合波部１２は、偏波制御部１１から取得した入力光とローカル光源１５から取得したローカル光を合波し、合波光を生成する（Ｓ１２）。この時、入力光に含まれる信号光とローカル光は異なる周波数成分を持つように多重する。生成された合波光は、偏波分離部１３に出力される。
【００４１】
次に、偏波分離部１３は、合波部１２から取得した合波光を、垂直偏波面と水平偏波面に分離する（Ｓ１３）。これにより、合波光は、信号光と雑音光とローカル光を含む偏波面（垂直偏波偏波面）と、雑音光とローカル光を含む偏波面（水平偏波面）に分離される。
【００４２】
次に、信号受信部１６ａは、取得した信号光とローカル光からビートを検出する（Ｓ１４）。また、雑音光とローカル光からもビートを検出する。同様に、信号受信部１６ｂは、雑音光とローカル光からビートを検出する。信号受信部１６ａは、信号光とローカル光から検出したビートを電気信号に変換し、信号成分として雑音除去部１４に出力する（Ｓ１５）。さらに、雑音光とローカル光から検出したビートを電気信号に変換し、雑音成分として雑音除去部１４に出力する。同様に、信号受信部１６ｂも雑音成分を雑音除去部１４に出力する。
【００４３】
次に、雑音除去部１４は、信号受信部１６ａから取得した信号成分と雑音成分から、信号受信部１６ｂから取得した雑音成分を減算することにより、雑音成分を除去する（Ｓ１６）。雑音除去部１４は、残った信号成分を復調部１８に出力する。
【００４４】
次に、復調部１８は、雑音除去部１４から取得した信号成分を復調する（Ｓ１７）。この時、復調部１８は、信号成分を復調した結果から、ローカル光源１５に対して、位相情報や光強度情報等をフィードバック情報として出力することもできる
【００４５】
以上説明したように、本発明の実施の形態１にかかる光受信装置を用いることにより、光増幅器で発生した雑音光を適切に除去することができ、データ信号の復調精度を向上することができる。
【００４６】
さらに、信号光と雑音光を含む入力光を取得する際に、信号光の偏波面を例えば、光受信装置の有する垂直偏波面に合わせることにより、多様な偏波面を有する光信号から、信号光を一つの偏波面上にのみ分離することが可能となり、信号光を取り出す精度を向上させることができる。
【００４７】
また、ローカル光を用いることにより、光信号強度が小さい光信号についても、光強度の強弱により信号を検波する直接検波方式より、高精度に光信号の検波を行うことが可能となる。
【００４８】
また、ローカル光を用いることにより、光信号強度情報以外にも、位相情報等を用いて雑音成分を除去することが可能であり、直接検波方式よりも、高精度に光信号の検波を行うことが可能となる。
【００４９】
次に、図８を用いて、本発明の実施の形態２にかかる光受信装置の構成について説明する。本発明の実施の形態２にかかる光受信装置２０は、主に光ホモダイン検波方式を用いたコヒーレント光受信装置である。光受信装置２０は、偏波制御部２１と、合波部２２ａ及び２２ｂと、ローカル光源２３と、位相調整部２４と、偏波分離部２５ａ及び２５ｂと、信号受信部２６ａ乃至２６ｄと、Ａ／Ｄ（Analog/Digital）変換部２７ａ乃至２７ｄと、デジタル信号処理部２８を備えている。
【００５０】
偏波制御部２１は、図２と同様、入力光に含まれる信号光の偏波面を制御する。制御された入力光は、分岐され合波部２２ａ及び２２ｂに出力される。本実施形態は説明の簡略化のため、入力光を２つに分離している例について説明する。
【００５１】
ローカル光源２３は、ローカル光を生成し、出力する。この時、ローカル光は分岐され合波部２２ａ及び２２ｂに出力される。合波部２２ｂへ出力されるローカル光は、位相調整部２４を通過し、合波部２２ａに出力されるローカル光に対して９０度の位相差を持つようにする。
【００５２】
合波部２２ａ及び２２ｂと、偏波分離部２５ａ及び２５ｂと、信号受信部２６ａ乃至２６ｄは、図２と同様の処理を行い、信号成分、雑音成分をＡ／Ｄ変換部２７ａ乃至２７ｄに出力する。信号受信部２６ａ及び２６ｃは、信号成分及び雑音成分をＡ／Ｄ変換部２７ａ及び２７ｃに出力し、信号受信部２６ｂ及び２６ｄは、雑音成分をＡ／Ｄ変換部２７ｂ及び２７ｄに出力する。
【００５３】
Ａ／Ｄ変換部２７ａ乃至２７ｄは、取得した信号成分又は雑音成分を、デジタル信号に変換する。Ａ／Ｄ変換部を用いてデジタル信号に変換された信号成分及び雑音成分は、デジタル信号処理部２８に出力される。次に、デジタル信号処理部２８の構成について、図９を用いて説明を行う。
【００５４】
デジタル信号処理部２８は、分散補償部２８１ａ乃至２８１ｄと、雑音制御部２８２ａ及び２８２ｂと、雑音除去部２８３ａ及び２８３ｂと、復調部２８４を備えている。
【００５５】
分散補償部２８１ａ乃至２８１ｄは、２７ａ乃至２７ｄを用いてデジタル化された信号成分及び雑音成分について分散補償を行う。具体的には、光信号が光ファイバを進む際に生じる光信号パルスの広がりによる波形の歪みを是正し、信号波形を回復するように補償を行う。分散補償部２８１ａ及び２８１ｃを用いて分散補償が行われた信号成分及び雑音成分は、雑音除去部２８３ａ及び２８３ｂに出力される。分散補償部２８１ｂ及び２８１ｄを用いて分散補償が行われた信号成分及び雑音成分は、雑音制御部２８２ａ及び２８２ｂに出力される。
【００５６】
雑音制御部２８２ａ及び２８２ｂは、図２と同様に雑音成分の位相及び強度を最適になるように調整し、雑音除去部２８３ａ及び２８３ｂに出力する。
【００５７】
雑音除去部２８３ａ及び２８３ｂは、図２と同様に雑音成分を除去し、信号成分のみを復調部２８４に出力することにより、信号成分の復調を行う。
【００５８】
以上説明したように、本発明の実施の形態２にかかる光受信装置を用いることにより、実施の形態１と同様に、光増幅器で発生した雑音成分を適切に除去することができ、データ信号の復調精度を向上することができる。さらに、光ホモダイン検波方式を用いてローカル光と信号光の周波数を同一とすることで、光受信装置の復調部にて検知する周波数帯域が減少され、光受信装置の処理を軽減することができる。
【００５９】
なお、本発明は上記実施の形態に限られたものではなく、趣旨を逸脱しない範囲で適宜変更することが可能である。例えば、本発明の実施の形態１において、実施の形態２と同様にＡ／Ｄ変換部、デジタル変換処理部を用いることにより、実施の形態１においてもデジタル信号処理を行うことが可能である。また、実施の形態２においても、実施の形態１と同様、デジタル信号処理ではなく、アナログ信号処理を行うことも可能である。
【符号の説明】
【００６０】
１０、２０  光受信装置
１１、２１  偏波制御部
１２、２２ａ、２２ｂ  合波部
１３、２５ａ、２５ｂ  偏波分離部
１４、２８３ａ、２８３ｂ  雑音除去部
１５、２３  ローカル光源
１６ａ、１６ｂ、２６ａ、２６ｂ、２６ｃ、２６ｄ  信号受信部
１７、２８２ａ、２８２ｂ  雑音制御部
１８、２８４  復調部
２４  位相調整部
２７ａ、２７ｂ、２７ｃ、２７ｄ  Ａ／Ｄ変換部
２８  デジタル信号処理部
２８１ａ、２８１ｂ、２８１ｃ、２８１ｄ  分散補償部
【図１】
2010219885.tif 000003
【図２】
2010219885.tif 000004
【図３】
2010219885.tif 000005
【図４】
2010219885.tif 000006
【図５】
2010219885.tif 000007
【図６】
2010219885.tif 000008
【図７】
2010219885.tif 000009
【図８】
2010219885.tif 000010
【図９】
2010219885.tif 000011